(57)【要約】【課題】インターホン機能を有するリモコンシステムと、インターホン機能が無く呼出し音によりリモコン間の呼出しを行うリモコンシステムの双方において使用可能なリモコンを、コストを抑制して提供する。【解決手段】増設リモコン５は、「呼出し信号」を受信したときに、その後所定時間内に他のリモコンから「応答信号」を受信したか否かを監視し、他のリモコンから「応答信号」を受信したときは、インターホン機能を有するリモコンシステムにおいて使用されていると判断し、他のリモコンから「応答信号」を受信しなかったときには、インターホン機能が無いリモコンシステムにおいて使用されていると判断する。そして、増設リモコン５は、インターホン機能付きのリモコンシステム４０で使用されていると判断したときに、「呼出し信号」を受信したときには、呼出し音をＴ2の間のみ出力する。【選択図】  図２
2005117237.tif 000002
【特許請求の範囲】
【請求項１】
インターホン機能を有する複数のリモコンを共通の通信回線を介して相互に通信可能とし、各リモコンは他のリモコンから呼出し信号を受信しているときに、該他のリモコンに対して応答信号を送信しつつ該他のリモコンとの音声通信を行う第１のリモコンシステム、及び、
所定操作がなされているときに前記呼出し信号を送信するリモコンと、該呼出し信号の受信中に呼出し音を出力するリモコンとを、前記第１のリモコンシステムと同一仕様の共通の通信回線を介して相互に通信可能とした第２のリモコンシステムにおいて、前記通信回線を介して他のリモコンと相互に通信可能とされて使用されるリモコン装置であって、
前記呼出し信号を受信したときに、その後第１の所定時間内に前記応答信号を受信したときは、前記第１のリモコンシステムにおいて使用されていると判断し、該第１の所定時間内に前記応答信号を受信しなかったときには、前記第２のリモコンシステムにおいて使用されていると判断するリモコンシステム識別手段と、
該リモコンシステム識別手段により、前記第２のリモコンシステムにおいて使用されていると判断されたときに、前記呼出し信号を受信したときには、前記呼出し信号の受信中に呼出し音を出力する呼出し音出力手段と、
前記リモコンシステム識別手段により、前記第１のリモコンシステムにおいて使用されていると判断されたときに、前記呼出し信号を受信したときには、前記呼出し音の出力を禁止するか前記呼出し音を第２の所定時間のみ出力する呼出し音出力制限手段とを備えたことを特徴とするリモコン装置。
【請求項２】
前記リモコンシステム識別手段により、前記第１のリモコンシステムにおいて使用されていると判断された後、前記呼出し信号を受信したときに、その後第３の所定時間以内に前記応答信号を受信しなかったときには、異常報知を行う異常報知手段を備えたことを特徴とする請求項１記載のリモコン装置。
【発明の詳細な説明】
【技術分野】
【０００１】
本発明は、リモコン間のインターホン機能を有するリモコンシステムと、インターホン機能が無く呼出し音によりリモコン間の呼出しを行うリモコンシステムの双方において使用可能なリモコン装置に関する。
【背景技術】
【０００２】
従来より、例えば給湯器を浴室に設けられた浴室リモコンと台所に設けられた台所リモコンとにより遠隔操作するリモコンシステムにおいて、浴室リモコンに呼出しスイッチを備えて、該呼出しスイッチが操作されている間、浴室リモコンから台所リモコンに対して呼出し信号を送信するようにし、該呼出し信号を受信している間、台所リモコンにおいて呼出し音を出力するようにしたものが知られている。
【０００３】
また、浴室リモコンと台所リモコンとの間で通話を可能とするインターホン機能を備えたリモコンシステムも知られており、かかるリモコンシステムにおいては、浴室リモコン及び台所リモコンに通話の開始を指示する「通話スイッチ」が備えられている（例えば、特許文献１参照）。そして、いずれかのリモコンの通話スイッチが操作されたときに、該リモコンの通話スイッチが再度操作されるまでの間、該リモコンから他のリモコンに対して呼出し信号が継続的に送信され、他のリモコンが該呼出し信号を受信している間、他のリモコンから該リモコンに対して応答信号が継続的に送信される。
【０００４】
そして、このように浴室リモコンと台所リモコンとの間で呼出し信号と応答信号が送受信されている間、浴室リモコンと台所リモコン間の音声通信を行って両リモコン間の通話を可能としている。
【０００５】
このように、浴室リモコンから台所リモコンを呼出すための構成として、呼出し音を出力するタイプとインターホンを用いるタイプとが普及している。そして、浴室と台所以外の洗面所やリビングにもリモコン（増設リモコン）を設置したリモコンシステムも普及している。
【特許文献１】特開２００２−１３９２４６号公報
【発明の開示】
【発明が解決しようとする課題】
【０００６】
インターホン機能が無く呼出し音の出力による呼出しを行うリモコンシステムに対応した増設リモコンと、インターホン機能付きのリモコンシステムに対応した増設リモコンを別個に用意する場合には、製品管理が面倒であると共に増設リモコンのコストもアップする。また、増設リモコンに切換えスイッチを設け、該切換えスイッチの操作によりいずれのリモコンシステムにも対応可能な仕様とすることも可能であるが、この場合には増設リモコンのコストが高くなる。
【０００７】
ここで、上述した増設リモコンは、浴室リモコンや台所リモコンに比べて使用頻度が低いため、給湯器等を遠隔操作する基本的な機能を備えれば十分であり、インターホン機能のような高機能が要求される場合は少ないと考えられる。
【０００８】
そこで、インターホン機能が無く呼出し音の出力による呼出しを行うリモコンシステムに対応したインターホン機能を持たない増設リモコンを、そのままインターホン機能付きのリモコンシステムで使用することが考えられる。
【０００９】
しかし、上述したように、インターホン機能付きのリモコンシステムにおいては、リモコン間で通話が行われているときに呼出し信号が継続的に送信されるため、該呼出し信号を受信した増設リモコンから呼出し音の出力が継続して行われてしまい、該呼出し音により増設リモコン付近の所在者に不快感を与えてしまう。
【００１０】
本発明はかかる背景を鑑みてなされたものであり、インターホン機能を有するリモコンシステムと、インターホン機能が無く呼出し音の出力により呼出しを行うリモコンシステムの双方において使用可能な増設リモコンを、コストを抑えて提供することを目的とする。
【課題を解決するための手段】
【００１１】
本発明は上記目的を達成するためになされたものであり、インターホン機能を有する複数のリモコンを共通の通信回線を介して相互に通信可能とし、各リモコンは他のリモコンから呼出し信号を受信しているときに、該他のリモコンに対して応答信号を送信しつつ該他のリモコンとの音声通信を行う第１のリモコンシステム、及び、所定操作がなされているときに前記呼出し信号を送信するリモコンと、該呼出し信号の受信中に呼出し音を出力するリモコンとを、前記第１のリモコンシステムと同一仕様の共通の通信回線を介して相互に通信可能とした第２のリモコンシステムにおいて、前記通信回線を介して他のリモコンと相互に通信可能とされて使用されるリモコン装置に関する。
【００１２】
そして、前記呼出し信号を受信したときに、その後第１の所定時間内に前記応答信号を受信したときは、前記第１のリモコンシステムにおいて使用されていると判断し、該第１の所定時間内に前記応答信号を受信しなかったときには、前記第２のリモコンシステムにおいて使用されていると判断するリモコンシステム識別手段と、該リモコンシステム識別手段により、前記第２のリモコンシステムにおいて使用されていると判断されたときに、前記呼出し信号を受信したときには、前記呼出し信号の受信中に呼出し音を出力する呼出し音出力手段と、前記リモコンシステム識別手段により、前記第１のリモコンシステムにおいて使用されていると判断されたときに、前記呼出し信号を受信したときには、前記呼出し音の出力を禁止するか前記呼出し音を第２の所定時間のみ出力する呼出し音出力制限手段とを備えたことを特徴とする。
【００１３】
かかる本発明によれば、前記リモコンシステム識別手段により、前記リモコン装置が使用されているリモコンシステムが前記第１のリモコンシステムであるか前記第２のリモコンシステムであるかが識別される。そして、前記リモコン装置が前記第２のリモコンシステムで使用されていたときは、前記呼出し音出力手段により、他のリモコンから前記呼出し信号を受信している間、前記呼出し音が出力される。そのため、前記リモコン装置を前記第２のリモコンシステムにおいて使用したときは、他のリモコンにおいて前記所定操作がなされている間、前記リモコン装置から呼出し音を出力させて、前記リモコン装置付近の所在者を呼出すことができる。
【００１４】
また、前記リモコンシステム識別手段により、前記リモコン装置が前記第１のリモコンシステムにおいて使用されていると判断されたときには、前記呼出し音出力制限手段により、他のリモコンから前記呼出し信号を受信したときに、前記呼出し音の出力が禁止されるか又は前記呼出し音が前記第２の所定時間のみ出力される。そのため、他のリモコン間で前記呼出し信号と前記応答信号の送受信が継続されながら音声通信が実行されている間に、前記リモコン装置から呼出し音が継続して出力され、前記リモコン装置の付近の所在者に対して不快感を与えることを防止することができる。
【００１５】
そして、前記リモコンシステム識別手段の機能はソフトウェアにより実現可能であるため、選択スイッチ等のハードウェア部品を追加することなく、使用されるリモコンシステム（前記第１のリモコンシステム又は前記第２のリモコンシステム）に応じて、前記リモコン装置の作動を切換えることができる。そのため、前記第１のリモコンシステムと前記第２のリモコンシステムの双方で使用可能なリモコン装置を、コストを抑えて構成することができる。
【００１６】
また、前記リモコンシステム識別手段により、前記第１のリモコンシステムにおいて使用されていると判断された後、前記呼出し信号を受信したときに、その後第３の所定時間以内に前記応答信号を受信しなかったときには、異常報知を行う異常報知手段を備えたことを特徴とする。
【００１７】
かかる本発明において、前記第１のリモコンシステムにおいて、前記リモコン装置が前記呼出し信号を受信するのは、他のいずれかのリモコンからインターホン機能による通話の開始要求があったときである。そして、該呼出し信号を受信してから前記第３の所定時間以内に、前記リモコン装置が前記応答信号を受信しなかったときには、通話の相手となる他のリモコンが故障して、前記応答信号を送信しなかったと判断することができる。そこで、前記異常報知手段はかかる場合に異常報知を行い、これにより使用者に対してリモコンの故障を知らせることができる。
【発明を実施するための最良の形態】
【００１８】
本発明の実施の形態について、図１〜図５を参照して説明する。図１はインターホン機能が無いリモコンシステムの接続態様図及びタイミングチャート、図２はインターホン機能を有するリモコンシステムの接続態様図及びタイミングチャート、図３，図４は増設リモコンの作動フローチャート、図５はインターホン機能に故障が生じた場合のタイミングチャートである。
【００１９】
図１（ａ）を参照して、リモコンシステム１（本発明の第２のリモコンシステムに相当する）は、給湯器２を遠隔操作する浴室リモコン３と台所リモコン４と増設リモコン５（本発明のリモコン装置に相当する）とを、共通の通信ケーブル６（本発明の通信回線に相当する）を介して相互に通信可能に接続して構成されている。
【００２０】
浴室リモコン３には、給湯器２の作動状態や設定状態を表示する表示ユニット１０と、給湯器２を遠隔操作するための各種操作スイッチ及び呼出しスイッチ１１と、スピーカ１２とが備えられている。また、台所リモコン４には、給湯器２の作動状態や設定状態を表示する表示ユニット２０と、給湯器２を遠隔操作するための各種スイッチと、スピーカ２１とが備えられている。また、増設リモコン５は、例えば洗面所や居間に設置され、台所リモコン４と同様に、給湯器２の作動状態や設定状態を表示する表示ユニット３０と、給湯器２を遠隔操作するための各種スイッチと、スピーカ３１とが備えられている。
【００２１】
浴室リモコン３に備えられた呼出しスイッチ１１は、入浴者が台所リモコン４及び増設リモコン５付近の所在者を呼出すためのものであり、入浴者が呼出しスイッチ１１を操作すると、浴室リモコン３と台所リモコン４と増設リモコン５は、図１（ｂ）のタイミングチャートに示したように作動する。
【００２２】
すなわち、浴室リモコン３は、呼出しスイッチ１１が操作（ＯＮ）されているｔ10〜ｔ11の間、通信回線６に「呼出し信号」を送信し続ける。そして、台所リモコン４は、該「呼出し信号」を受信している間、「応答信号」を送信することなくスピーカ２１から呼出し音を継続的に出力する。また、増設リモコン５も、「呼出し信号」を受信している間、「応答信号」を送信することなくスピーカ３１から呼出し音を継続的に出力する。
【００２３】
次に、図２を参照して、リモコンシステム４０（本発明の第１のリモコンシステムに相当する）は、給湯器４１を遠隔操作する浴室リモコン４２と台所リモコン４３と増設リモコン５とを、共通の通信ケーブル４４（本発明の通信回線に相当する）を介して相互に通信可能に接続して構成されている。
【００２４】
ここで、通信ケーブル４４及び通信ケーブルを介して送受信される信号の電気的仕様（本発明の通信回線の仕様に相当する）は、図１に示したリモコンシステム１と同一である。そのため、リモコンシステム１で使用された増設リモコン５を、通信ケーブル４４で接続してリモコンシステム４０においてもそのまま使用することが可能であり、増設リモコン５により給湯器４１を遠隔操作することができる。
【００２５】
そして、リモコンシステム４０における浴室リモコン４２には、給湯器４１の作動状態や設定状態を表示する表示ユニット５０と、給湯器４１を遠隔操作するための各種スイッチ及び通話スイッチ５１と、スピーカ／マイク５２とが備えられている。また、台所リモコン４３にも、浴室リモコン４２と同様に、給湯器２の作動状態や設定状態を表示する表示ユニット６０と、給湯器４１を操作するための各種スイッチ及び通話スイッチ６１と、スピーカ／マイク６２とが備えられている。
【００２６】
また、浴室リモコン４２と台所リモコン４３は、相互に音声通信を行うインターホン機能を有しており、浴室リモコン４２に備えられた通話スイッチ５１又は台所リモコン４３に備えられた通話スイッチ６１が操作されたときに、浴室リモコン４２と台所リモコン４３間の音声通信が可能なインターホンモードとなる。
【００２７】
例えば、浴室リモコン４２の通話スイッチ５１が操作（ＯＮ）されると、浴室リモコン４２と台所リモコン４３と増設リモコン５は、図２（ｂ）のタイミングチャートに示したように作動する。
【００２８】
すなわち、浴室リモコン４２は、ｔ20で通話スイッチ５１が操作されると「呼出し信号」の送信を開始し、次に通話スイッチ５１が操作されるｔ23まで、「呼出し信号」の送信を継続する。そして、台所リモコン４３は、通信ケーブル４４を介して「呼出し信号」を受信したｔ21から「応答信号」の送信を開始し、「呼出し信号」の送信が停止するｔ23まで、「応答信号」の送信を継続する。
【００２９】
そして、このように、浴室リモコン４２と台所リモコン４３間で「呼出し信号」と「応答信号」の送受信が継続されるｔ21〜ｔ23の間、浴室リモコン４２と台所リモコン４３は、通信ケーブル４４を介して音声信号の送受信を行う。
【００３０】
なお、浴室リモコン４２においては、スピーカ／マイク５２により集音された音声を変調した音声信号が通信ケーブル４４を介して台所リモコン４３に送信されると共に、通信ケーブル４４を介して受信された台所リモコン４３からの音声信号が復調されてスピーカ／マイク５２から出力される。また、台所リモコン４３においては、スピーカ／マイク６２により集音された音声を変調した音声信号が通信ケーブル４４を介して浴室リモコン４２に送信されると共に、通信ケーブル４４を介して受信された浴室リモコン４２からの音声信号が復調されてスピーカ／マイク６２から出力される。
【００３１】
ここで、増設リモコン５は、図１（ａ）に示したリモコンシステム１で使用されたときは、図１（ｂ）に示したように、「呼出し信号」を受信している間、スピーカ３１から呼出し音を出力し続ける。そのため、増設リモコン５を図２（ａ）に示したリモコンシステム４０で使用するときに、図１（ａ）に示したリモコンシステム１で使用する場合と同様に作動させると、図２（ｂ）を参照して、インターホンモードとなって浴室リモコン４２から「呼出し信号」が送信されているｔ20〜ｔ23の間、該「呼出し信号」を受信した増設リモコン５のスピーカ３１から呼出し音が継続的に出力される。そして、このような呼出し音の出力は増設リモコン５の付近の所在者にとって煩わしい。
【００３２】
そこで、増設リモコン５は、図３及び図４に示したフローチャートを実行し、インターホンモードにおいて、上述したように増設リモコン５から呼出し音が継続して出力されることを禁止している。
【００３３】
増設リモコン５は、給湯器２又は給湯器４１からの電源供給により作動を開始すると、先ず、図３に示したフローチャートを実行する。図３のＳＴＥＰ１〜ＳＴＥＰ２は、増設リモコン５が図１（ａ）に示したリモコンシステム１で使用されているか、或いは図２（ａ）に示したリモコンシステム４０で使用されているかを判断するための処理である。なお、ＳＴＥＰ１〜ＳＴＥＰ２の処理を行う機能が、本発明のリモコンシステム識別手段に相当する。
【００３４】
増設リモコン５は、作動を開始するとＳＴＥＰ１で「呼出し信号」の受信待ちとなる。そして、「呼出し信号」を受信するとＳＴＥＰ２に進み、増設リモコン５は、Ｔ1（本発明の第１の所定時間に相当する）以内に「応答信号」を受信したか否かを判断する。なお、Ｔ1は、図２（ｂ）のタイミングチャートにおいて、増設リモコン５が「呼出し信号」を受信するｔ20から「応答信号」を受信するｔ21までの時間よりも若干長い時間に設定される。
【００３５】
ここで、増設リモコン５が図１（ａ）に示したインターホン機能無しのリモコンシステム１で使用されていたときは、図１（ｂ）に示したように、ｔ10で浴室リモコン３から「呼出し信号」が送信されたときに、それに応じて台所リモコン４から「応答信号」が送信されることはない。そのため、ＳＴＥＰ２でＴ1以内に「応答信号」を受信しなかったときは、増設リモコン５はリモコンシステム１で使用されていると判断することができる。
【００３６】
そこで、この場合は、ＳＴＥＰ２からＳＴＥＰ１０に分岐し、増設リモコン５は、ＳＴＥＰ１０でインターホンフラグＰhn_Fをリセット（Ｐhn_F＝０）し、ＳＴＥＰ１１で呼出し音をＯＮする。そして、ＳＴＥＰ１２で「呼出し信号」が受信されなくなるのを待ってＳＴＥＰ１３に進み、ＳＴＥＰ１３で呼出し音をＯＦＦし、ＳＴＥＰ６に進んで処理を終了する。これにより、図１（ｂ）に示したように、「呼出し信号」の送信中（ｔ10〜ｔ11）に、増設リモコン５のスピーカ３１から呼出し音が継続的に出力される。
【００３７】
一方、増設リモコン５が図２（ａ）に示したインターホン機能付きのリモコンシステム４０で使用されていたときには、図２（ｂ）に示したように、ｔ20で浴室リモコン４２から「呼出し信号」が送信されたときに、それに応じてｔ21で台所リモコン４３から「応答信号」が送信される。また、同様に、台所リモコン４３から「呼出し信号」が送信されたときには、それに応じて浴室リモコン４２から「応答信号」が送信される。そのため、ＳＴＥＰ２でＴ1以内に「応答信号」を受信したときには、増設リモコン５はリモコンシステム４０で使用されていると判断することができる。
【００３８】
そこで、この場合はＳＴＥＰ２からＳＴＥＰ３に進み、増設リモコン５は、ＳＴＥＰ３でインターホンフラグＰhn_Fをセット（Ｐhn_F＝１）し、ＳＴＥＰ４で呼出し音をＴ2（本発明の第２の所定時間に相当する）だけＯＮする。そして、続くＳＴＥＰ５で「呼出し信号」が受信されなくなるのを待ってＳＴＥＰ６に進み、処理を終了する。
【００３９】
これにより、図２（ｂ）に示したように、浴室リモコン４２の通話スイッチ５１が操作されてインターホンモードとなったときに、「呼出し信号」の受信からＴ2の間のみ呼出し音が増設リモコン５のスピーカ３１から出力され、インターホンモードにある間、呼出し音が継続的に出力されることが禁止される。
【００４０】
そして、図３に示したフローチャートの実行により、増設リモコン５が使用されているリモコンシステム（リモコンシステム１又はリモコンシステム４０）が識別され、その識別結果に応じてインターホンフラグＰhn_Fがセット／リセットされた後、増設リモコン５は、図４に示したフローチャートを繰り返し実行する。
【００４１】
図４のＳＴＥＰ２０で、増設リモコン５は「呼出し信号」の受信待ちとなる。そして、「呼出し信号」を受信するとＳＴＥＰ２１に進み、増設リモコン５は、インターホンフラグＰhn_Fがセットされているか否かを判断する。
【００４２】
そして、インターホンフラグＰhn_Fがリセットされていたとき（Ｐhn＝０）、すなわち、増設リモコン５がインターホン機能無しのリモコンシステム１で使用されているときは、ＳＴＥＰ２１からＳＴＥＰ３０に分岐し、増設リモコン５は呼出し音をＯＮする。そして、続くＳＴＥＰ３１で「呼出し信号」が受信されなくなるのを待ってＳＴＥＰ３２に進み、増設リモコン５は、呼出し音をＯＦＦしてＳＴＥＰ２０に戻る。
【００４３】
ＳＴＥＰ３０〜ＳＴＥＰ３２の処理により、図３のＳＴＥＰ１１〜ＳＴＥＰ１３の処理と同様に、図１（ａ），図１（ｂ）を参照して、浴室リモコン３から「呼出し信号」が送信されているｔ10〜ｔ11の間、台所リモコン４のスピーカ２１及び増設リモコン５のスピーカ３１から呼出し音が継続的に出力される。
【００４４】
なお、図３のＳＴＥＰ２でＴ1以内に「応答信号」が受信されなかったときに、ＳＴＥＰ１０に分岐して「呼出し信号」が受信されている間に継続的に呼出し信号を出力する機能、及びＳＴＥＰ２１でインターホンフラグＰhn_Fがリセット（Ｐhn_F＝０）されていたときに、ＳＴＥＰ３０に分岐して「呼出し信号」が受信されている間に呼出し信号を出力する機能が、本発明の呼出し音出力手段に相当する。
【００４５】
一方、ＳＴＥＰ２１でインターホンプラグＰhn_Fがセットされていたとき（Ｐhn_F＝１）、すなわち、増設リモコン５がインターホン機能付きのリモコンシステム４０で使用されているときは、ＳＴＥＰ２１からＳＴＥＰ２２に進み、増設リモコン５はＴ2の間呼出し音を出力する。
【００４６】
なお、図３のＳＴＥＰ２でＴ1以内に「応答信号」が受信されたときに、ＳＴＥＰ４でＴ2の間のみ呼出し音を出力する機能、及び、図４のＳＴＥＰ２１でインターホンフラグＰhn_Fがセットされていたときに、ＳＴＥＰ２２でＴ2の間のみ呼出し音を出力する機能が、本発明の呼出し音出力制限手段に相当する。
【００４７】
そして、続くＳＴＥＰ２３で、増設リモコン５はＴ2以内に「応答信号」を受信したか否かを判断する。ここで、図２（ａ）及び図２（ｂ）を参照して、浴室リモコン４２及び台所リモコン４３が共に正常に動作していれば、浴室リモコン４２又は台所リモコン４３からの「呼出し信号」の送信に対応して、浴室リモコン４２又は台所リモコン４３から「応答信号」が送信される。
【００４８】
そのため、ＳＴＥＰ２３でＴ2（この場合のＴ2は本発明の第３の所定時間に相当する）以内に「応答信号」を受信しなかったときは、浴室リモコン４２又は台所リモコン４３の故障が生じていると判断することができる。そこで、この場合は、ＳＴＥＰ３０に分岐して呼出し音をＯＮし、これにより、増設リモコン５の付近にいる所在者に対して浴室リモコン４２又は台所リモコン４３の故障により、インターホン機能による通話が不能となったことを報知（本発明の異常報知に相当する）する。
【００４９】
なお、ＳＴＥＰ２３でＴ2以内に「応答信号」が受信されなかったときに、ＳＴＥＰ３０に分岐して呼出し音を出力する処理を行う機能が、本発明の異常報知手段に相当する。
【００５０】
また、ＳＴＥＰ２１でインターホンフラグＰhn_Fがリセットされていたとき、すなわち図１（ａ）に示したリモコンシステム１において、浴室リモコン３の呼出しスイッチ１１が操作されたときの呼出し音と、ＳＴＥＰ２３でＴ2以内に「応答信号」が受信されなかったときの呼出し音とを変更し、これにより通常の呼出しと故障の報知とを明確に区別して行うようにしてもよい。
【００５１】
また、ＳＴＥＰ２３でＴ2以内に「応答信号」を受信したときには、浴室リモコン４２と台所リモコン４３が正常に動作していると判断することができる。そこで、この場合はＳＴＥＰ２４に進み、「呼出し信号」が受信されなくなるのを待ってＳＴＥＰ２０に戻る。
【００５２】
図５は、図２（ａ）に示したリモコンシステム４０において、台所リモコン４３に故障が生じた状態で、浴室リモコン４２の通話スイッチ５１が操作された場合の浴室リモコン４２と台所リモコン４３と増設リモコン５の作動を示したタイミングチャートである。
【００５３】
ｔ30で浴室リモコン４２の通話スイッチ５１が操作されると、浴室リモコン４２は通信ケーブル４４に「呼出し信号」を送信し、「呼出し信号」を受信した増設リモコン５はＴ2の間呼出し音を出力する。そして、故障した台所リモコン４３からは「応答信号」が送信されないため、Ｔ2が経過した後も「呼出し信号」の送信が停止するｔ33まで、呼出し音の出力が継続される。
【００５４】
なお、本実施の形態では、図４のＳＴＥＰ２３により浴室リモコン４２と台所リモコン４３の故障を判断する処理を行ったが、かかる処理を行わない場合であっても本発明の効果を得ることができる。
【００５５】
また、本実施の形態では、通信ケーブル６，４４を介して有線による通信を行うリモコンシステム１，４０を示したが、無線により通信を行うリモコンシステムに対しても本発明の適用が可能である。この場合、本発明の通信回線は無線による通信路となる。
【００５６】
なお、上述したように、図３におけるＴ1は本発明の第１の所定時間に相当し、図２（ｂ）のタイミングチャートにおいて、増設リモコン５が「呼出し信号」を受信するｔ20から「応答信号」を受信するｔ21までの時間よりも若干長い時間に設定される。また、図３におけるＴ2は本発明の第２の所定時間に相当し、図４におけるＴ2は本発明の第２の所定時間及び第３の所定時間に相当する。Ｔ2は呼出し音が継続して出力されることを禁止するための制限時間であり、図４のＳＴＥＰ２３では「応答信号」の受信の有無を判断する時間を兼ねている。
【図面の簡単な説明】
【００５７】
【図１】インターホン機能が無いリモコンシステムの接続態様図及びタイミングチャート。
【図２】インターホン機能を有するリモコンシステムの接続態様図及びタイミングチャート。
【図３】増設リモコンの作動フローチャート。
【図４】増設リモコンの作動フローチャート。
【図５】インターホン機能に故障が生じた場合のタイミングチャート。
【符号の説明】
【００５８】
１…（インターホン機能の無い）リモコンシステム、２…給湯器、３…浴室リモコン、４…台所リモコン、５…増設リモコン、６…通信ケーブル、１１…呼出しスイッチ、１２，２１，３１…スピーカ、４０…（インターホン機能を有する）リモコンシステム、４１…給湯器、４２…浴室リモコン、４３…台所リモコン、４４…通信ケーブル、５１，６１…通話スイッチ、５２，６２…スピーカ／マイク
【図１】
2005117237.tif 000003
【図２】
2005117237.tif 000004
【図３】
2005117237.tif 000005
【図４】
2005117237.tif 000006
【図５】
2005117237.tif 000007